(57)【要約】      （修正有）【課題】連接部とランプシェードとの長さの比がより小さいため、ランプシェードから外部に射出する光線がより柔らかくて均一となるランプソケットを提供する。【解決手段】発光ダイオード電球２と電気的に接続し、ランプシェード３を組付け可能であり、本体１０と、発光ダイオード電球２と電気的に接続し、本体１０から外側に突出し、ランプシェード３と合わせるための組付け部２１を含む連接部２０と、を含むランプソケット１において、組付け部２１から連接部２０の上縁までの距離ｄ１を第１の長さとし、組付け部２１にランプシェード３を組付けたときには、組付け部２１からランプシェード３の上縁までの距離を第２の長さｄ２とし、第１の長さｄ１は、第２の長さｄ２の１／４と同じ、又はそれより小さい。【選択図】図４
0003203448.tif 000002
【実用新案登録請求の範囲】
【請求項１】
発光ダイオード電球と電気的に接続し、ランプシェードを組付け可能であり、
本体と、
発光ダイオード電球と電気的に接続し、前記本体から外側に突出し、前記ランプシェードと合わせるための組付け部を含む連接部と、
を含むランプソケットにおいて、
前記組付け部から前記連接部の上縁までの距離を第１の長さとし、前記組付け部に前記ランプシェードを組付けたときには、前記組付け部から前記ランプシェードの上縁までの距離を第２の長さとし、前記第１の長さは、前記第２の長さの１／４と同じ、又はそれより小さいことを特徴とするランプソケット。
【請求項２】
前記組付け部は前記連接部に環設されている溝であり、前記溝により、前記ランプシェードを前記組付け部に脱着可能であることを特徴とする、請求項１に記載のランプソケット。
【請求項３】
前記第１の長さは、前記第２の長さの１／８〜１／６範囲内にあることを特徴とする、請求項１に記載のランプソケット。
【請求項４】
外部電源と電気的に接続するための電源接収端を含み、前記本体の両側に止め肩部がそれぞれ設けられており、前記電源接収端が前記外部電源と電気的に接続しているときには、前記止め肩部が前記外部電源に向くことを特徴とする、請求項１に記載のランプソケット。
【請求項５】
スイッチ部を含み、前記発光ダイオード電球を前記連接部に組付けた後、前記スイッチ部により、前記本体からの電力の前記発光ダイオード電球への供給の有無を制御可能であり、前記本体には、前記スイッチ部を収容する円弧形窪みが設けられていることを特徴とする、請求項１に記載のランプソケット。
【考案の詳細な説明】
【技術分野】
【０００１】
本考案は、ランプソケットに関するものである。
【背景技術】
【０００２】
一般的なランプソケットに白熱電球を組付けると、ランプシェードにより、白熱電球からの光線が外部へ均一に射出する。しかし、国民が省エネルギーをどんどん重要視しているため、図５に示すように、白熱電球の代わりに発光ダイオード電球を利用することがブームとなる。
【０００３】
しかしながら、白熱電球に比べて、発光ダイオード電球からの光線が方向性を有し、発光ダイオード電球と接続するランプソケットの連接部の長さがより長いため、発光ダイオード電球、ランプソケット及びランプシェードを組立てた後、発光ダイオード電球からの光線の殆どがランプシェードの上方に集中する。これにより、外部からランプシェードを見る場合には、発光ダイオード電球が極めて眩しい。
【考案の概要】
【考案が解決しようとする課題】
【０００４】
本考案の主な目的は、連接部とランプシェードとの長さの比がより小さいため、ランプシェードがより大きい比例で発光ダイオード電球からの光線を接収可能であり、ランプシェードから外部に射出する光線がより柔らかくて均一となるランプソケットを提供することにある。
【課題を解決するための手段】
【０００５】
本考案のランプソケットによると、発光ダイオード電球と電気的に接続し、ランプシェードを組付け可能であり、本体と、発光ダイオード電球と電気的に接続し、本体から外側に突出し、ランプシェードと合わせるための組付け部を含む連接部と、を含むランプソケットにおいて、組付け部から連接部の上縁までの距離を第１の長さとし、組付け部にランプシェードを組付けたときには、組付け部からランプシェードの上縁までの距離を第２の長さとし、第１の長さは、第２の長さの１／４と同じ、又はそれより小さいことを特徴とする。
【０００６】
本考案のランプソケットによると、組付け部は連接部に環設されている溝であり、溝により、ランプシェードを組付け部に脱着可能であることを特徴とする。
【０００７】
本考案のランプソケットによると、第１の長さは、第２の長さの１／８〜１／６範囲内にあることを特徴とする。
【０００８】
本考案のランプソケットによると、外部電源と電気的に接続するための電源接収端を含み、本体の両側に止め肩部がそれぞれ設けられており、電源接収端が外部電源と電気的に接続しているときには、止め肩部が外部電源に向くことを特徴とする。
【０００９】
本考案のランプソケットによると、スイッチ部を含み、発光ダイオード電球を連接部に組付けた後、スイッチ部により、本体からの電力の発光ダイオード電球への供給の有無を制御可能であり、本体には、スイッチ部を収容する円弧形窪みが設けられていることを特徴とする。
【考案の効果】
【００１０】
本考案のランプソケットによれば、連接部とランプシェードとの長さの比がより小さいため、ランプシェードがより大きい比例で発光ダイオード電球からの光線を接収可能であり、ランプシェードから外部に射出する光線がより柔らかくて均一となるという効果を有する。
【図面の簡単な説明】
【００１１】
【図１】本考案の一実施形態に係るランプソケットを示す斜視図である。
【図２】本考案の一実施形態に係るランプソケットを別の視点から見た斜視図である。
【図３】本考案の一実施形態に係るランプソケットを示す分解斜視図である。
【図４】本考案の一実施形態に係るランプソケットの使用状態を示す図である。
【図５】従来のランプソケットの使用状態を示す図である。
【考案を実施するための形態】
【００１２】
以下、本考案の実施の形態を図面に基づいて説明する。
【００１３】
図１から図４を参照する。図１は本考案の一実施形態に係るランプソケットを示す斜視図であり、図２は本考案の一実施形態に係るランプソケットを別の視点から見た斜視図であり、図３は本考案の一実施形態に係るランプソケットを示す分解斜視図であり、図４は本考案の一実施形態に係るランプソケットの使用状態を示す図である。本実施形態に係るランプソケット１は、発光ダイオード電球２と電気的に接続し、ランプシェード３を組付け可能である。ランプソケット１は、本体１０と、連接部２０と、を含む。本実施形態では、ランプソケット１は外部電源４と電気的に接続するための電源接収端３０を含み、本体１０の両側に止め肩部１１がそれぞれ設けられており、電源接収端３０が外部電源４と電気的に接続しているときには、止め肩部１１が外部電源４に向く。ユーザの指が止め肩部１１をキャッチすると、外部電源４からランプソケット１を容易に引き出すことが可能である。もちろん、電源接収端３０は、伝統的なプラグでなくでもよく、ＵＳＢ接続ポート、又は電源を接収可能な他の電源接収端でもよい。電源接収端３０は内蔵式の電源接収端でもよい。電源接収端３０が内蔵式の電源接収端である場合には、電池を組付けて電源を得ることが可能である。
【００１４】
本実施形態では、連接部２０は、発光ダイオード電球２と電気的に接続し、本体１０から外側に突出する。連接部２０は、ランプシェード３と合わせるための組付け部２１を含む。具体的には、組付け部２１は連接部２０に環設されている溝２２である。溝２２により、ランプシェード３を組付け部２１に脱着可能であり、そしてランプシェード３は、溝２２に沿ってスライド可能である。これにより、必要によってランプシェード３の位置を調整可能である。もちろん、ランプシェードは発光ダイオード電球を完全に被ってもよい。
【００１５】
ランプソケット１は、スイッチ部４０を含む。発光ダイオード電球２を連接部２０に組付けた後、スイッチ部４０により、本体１０からの電力の発光ダイオード電球２への供給の有無を制御可能である。具体的には、スイッチ部４０は、本体１０の内部に設けられている電気回路を制御して、外部電源４の電力が、電源接収端３０、本体１０及び連接部２０を経由して、発光ダイオード電球２に供給するかどうかを切り替え可能である。一方、本体１０には、スイッチ部４０を収容する円弧形窪み１２が設けられている。円弧形窪み１２により、ユーザの指のスイッチ部４０に対する操作がもっと順調となる。
【００１６】
組付け部２１にランプシェード３を組付けた後、組付け部２１から連接部２０の上縁までの距離を第１の長さｄ１とし、組付け部２１からランプシェード３の上縁までの距離を第２の長さｄ２とする。本実施形態では、発光ダイオード電球２が上方だけへ光線を射出可能である。発光ダイオード電球２からの光線がランプシェード３の上方だけに集中することを回避するために、第１の長さｄ１は、第２の長さｄ２の１／４と同じ、又はそれより小さい。なお、本実施形態では、第１の長さｄ１は、第２の長さｄ２の１／８〜１／６範囲内にある。これにより、ランプシェード３がより大きい比例で発光ダイオード電球２からの光線を接収可能であり、ランプシェード３から外部に射出する光線がより柔らかくて均一となる。もちろん、横方向に光線を射出可能な発光ダイオード電球を採用してもよい。この場合には、ランプシェードがより大きい比例で発光ダイオード電球からの光線を接収可能である。
【００１７】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００１８】
本考案は、ランプソケットに適用することができる。
【符号の説明】
【００１９】
１    ランプソケット
２    発光ダイオード電球
３    ランプシェード
４    外部電源
１０    本体
１１    止め肩部
１２    円弧形窪み
２０    連接部
２１    組付け部
２２    溝
３０    電源接収端
４０    スイッチ部
ｄ１    第１の長さ
ｄ２    第２の長さ
【図１】
0003203448.tif 000003
【図２】
0003203448.tif 000004
【図３】
0003203448.tif 000005
【図４】
0003203448.tif 000006
【図５】
0003203448.tif 000007